【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
入口（１８ａ）と、出口（１８ｂ）と、前記入口（１８ａ）および前記出口（１８ｂ）から延びる内部通路（１８）とを有する散水器の枠体（１２）であって、前記出口（１８ｂ）の周りに形成された封止面（２０）を含む散水器の枠体（１２）と、
前記出口（１８ｂ）から離隔された偏向部材（１００）と、
前記内部通路（１８）を封止する封止組立体（５０）であって、近位端部（５２ａ）と、遠位端部（５２ｂ）と、中心軸（Ｂ−Ｂ）を囲み、外面（５６ａ）、および内部チャンバ（５８）を形成する内面（５６ｂ）を画定する壁部（５４）とを有する本体（５２）を含み、前記壁部（５４）が、前記内部チャンバ（５８）を前記内部通路（１８）に露出する開口部（６０）を前記本体（５２）の前記近位端部（５２ａ）に画定し、前記チャンバ（５８）を閉鎖する床部（６２）を前記本体（５２）の前記遠位端部（５２ｂ）に画定する、封止組立体（５０）と、
前記封止組立体（５０）と前記偏向部材（１００）との間に配置され、前記本体（５２）の前記近位端部（５２ａ）の一部分が前記封止面（２０）と係合し、前記内部チャンバ（５８）と流体連通する前記内部通路（１８）との流体密封を形成するように、前記出口（１８ｂ）において前記封止組立体（５０）を支持する熱反応性起動部（３０）とを備え、
前記封止組立体（５０）の前記本体（５２）が、第１の平面に対し左右対称であり、第２の平面が、前記中心軸に沿って前記第１の平面と交わり、二分割本体を画定し、前記二分割本体が、楕円形の輪郭を画定する自動防火散水器組立体（１０）。
【請求項２】
前記封止組立体の前記本体が、第１の平面、および前記中心軸に沿って前記第１の平面と交わり、二分割本体を画定する第２の平面に対し左右対称であり、前記二分割本体が、平面断面輪郭を画定し、前記輪郭において、前記壁部が前記輪郭の各端部で曲線部を画定し、前記曲線部が、前記近位端部と前記遠位端部との間に曲率中心を有する、請求項１に記載の自動防火散水器組立体。
【請求項３】
前記曲線部が円弧を画定する、請求項２に記載の自動防火散水器組立体。
【請求項４】
前記本体の前記近位端部にある前記外面の一部分は、前記チャンバの内部の内部流体圧力が、前記外面の前記一部分に平行な前記内面の一部分に作用し、前記封止面に対して垂直な力を規定するように、前記封止面と係合する、請求項１から３のいずれか一項に記載の自動防火散水器組立体。
【請求項５】
前記封止組立体が、上面と、下面とを有するボタンを含み、前記上面が、前記本体を収容する第１の凹部を含み、前記下面が、前記熱反応性起動部と係合する第２の凹部を含む、請求項１から４のいずれか一項に記載の自動防火散水器組立体。
【請求項６】
前記散水器の枠体が、前記封止面の周りに形成された環状の溝を有し、前記ボタンの前記上面が、前記環状の溝と係合される、請求項５に記載の自動防火散水器組立体。
【請求項７】
前記本体が、エラストマー材料から作製される、請求項１または５に記載の自動防火散水器組立体。
【請求項８】
前記本体が、金属から作製される、請求項１または５に記載の自動防火散水器組立体。
【請求項９】
前記散水器の枠体が、前記封止面の周りに形成された環状の溝を有し、前記封止面が、前記環状の溝の最近位部分を画定し、金属製の本体の近位部分が、前記環状の溝と係合される、請求項８に記載の自動防火散水器組立体。
【請求項１０】
前記熱反応性起動部が、負荷ねじ不要型熱反応性起動部及びガラス管球のうち少なくとも一方を含む、請求項１から９のいずれか一項に記載の自動防火散水器組立体。
【請求項１１】
入口（１８ａ）と、出口（１８ｂ）と、前記出口（１８ｂ）を取り囲む封止面（２０）とを含む散水器の枠体（１２）を有する自動防火散水器（１０）を封止する方法であって、
前記封止面（２０）を、前記封止面（２０）に隣接する封止組立体（５０）と係合するステップと、
前記封止組立体（５０）の内部チャンバ（５８）を加圧するステップとを含み、
前記内部チャンバ（５８）を加圧する前記ステップが、前記封止組立体（５０）の内部輪郭を画定し、前記輪郭が、実質的に楕円形である方法。
【請求項１２】
前記封止組立体を、前記封止面と熱反応性起動部との間に装填するステップと、前記封止面と熱反応性起動部との間にスナップ嵌合を形成するステップとをさらに含む、請求項１１に記載の方法。
【請求項１３】
前記スナップ嵌合を形成する前記ステップが、前記封止組立体の高さよりも小さい、前記封止面と前記熱反応性起動部との間の軸方向距離を規定するステップを含む、請求項１２に記載の方法。
【請求項１４】
前記内部チャンバを加圧する前記ステップが、前記散水器の枠体の前記封止面に対して垂直な封止力を規定する、請求項１１に記載の方法。
【請求項１５】
ボタンの上面に沿って形成された第１の凹部内に本体を収容するステップと、前記ボタンの底面に沿って形成された第２の凹部内に熱反応性起動部を着座させるステップとをさらに含む、請求項１１に記載の方法。
【手続補正２】
【補正対象書類名】明細書
【補正対象項目名】００２７
【補正方法】変更
【補正の内容】
【００２７】
[0038]特定の実施形態を参照して本発明が開示されたが、添付の特許請求の範囲で規定される本発明の領域および範囲から逸脱せずに、記載された実施形態に対する多くの修正、改変、および変更が可能である。したがって、本発明は、記載された実施形態に限定されず、以下の特許請求の範囲の文言、およびそれらの均等物により規定される全範囲を有することを意図する。
本発明は、以下の態様を含む。
１．  入口と、出口と、入口および出口から延びる内部通路とを有する散水器の枠体であって、出口の周りに形成された封止面を含む散水器の枠体と、
出口から離隔された偏向部材と、
内部通路を封止する封止組立体であって、近位端部と、遠位端部と、中心軸を囲み、外面、および内部チャンバを形成する内面を画定する壁部とを有する本体を含み、壁部が、内部チャンバを内部通路に露出する開口部を本体の近位端部に画定し、チャンバを閉鎖する床部を本体の遠位端部に画定する、封止組立体と、
封止組立体と偏向部材との間に配置され、本体の近位端部の一部分が封止面と係合し、内部チャンバと流体連通する内部通路との流体密封を形成するように、出口において封止組立体を支持する熱反応性起動部とを備える自動防火散水器組立体。
２．  封止組立体の本体が、第１の平面、および中心軸に沿って第１の平面と交わり、二分割本体を画定する第２の平面に対し左右対称であり、二分割本体が、平面断面輪郭を画定し、輪郭において、壁部が輪郭の各端部で曲線部を画定し、曲線部が、近位端部と遠位端部との間に曲率中心を有する、上記１に記載の自動防火散水器組立体。
３．  曲線部が円弧を画定する、上記２に記載の自動防火散水器組立体。
４．  封止組立体の本体が、第１の平面に対し左右対称であり、第２の平面が、中心軸に沿って第１の平面と交わり、二分割本体を画定し、二分割本体が、楕円形の輪郭を画定する、上記１に記載の自動防火散水器組立体。
５．  本体の近位端部にある外面の一部分は、チャンバの内部の内部流体圧力が、外面の一部分に平行な内面の一部分に作用し、封止面に対して垂直な力を規定するように、封止面と係合する、上記１から４のいずれかに記載の自動防火散水器組立体。
６．  封止組立体が、上面と、下面とを有するボタンを含み、上面が、本体を収容する第１の凹部を含み、下面が、熱反応性起動部と係合する第２の凹部を含む、上記１から５のいずれかに記載の自動防火散水器組立体。
７．  散水器の枠体が、封止面の周りに形成された環状の溝を有し、ボタンの上面が、環状の溝と係合される、上記６に記載の自動防火散水器組立体。
８．  本体が、エラストマー材料から作製される、上記１または６に記載の自動防火散水器組立体。
９．  本体が、金属から作製される、上記１または６に記載の自動防火散水器組立体。
１０．  散水器の枠体が、封止面の周りに形成された環状の溝を有し、封止面が、環状の溝の最近位部分を画定し、金属製の本体の近位部分が、環状の溝と係合される、上記９に記載の自動防火散水器組立体。
１１．  入口と、出口と、入口と出口との間に中心軸に沿って延びる内部通路とを有する散水器の枠体であって、出口の周りに形成された封止面を含む散水器の枠体と、
熱反応性起動部と、
封止面と熱反応性起動部との間に配置された封止組立体であって、内部チャンバを画定する内面を有する本体を含み、内面が、封止面に対して配置される部分を含み、それにより内部チャンバ内に配置された流体が、内面の前記部分へ作用し、封止面の方向へ封止力を規定する、封止組立体とを備える自動防火散水器組立体。
１２．  本体が、封止面に隣接する部分を有する外面を含み、封止力が、外面の前記部分と封止面との間に封止係合をもたらす、上記１１に記載の自動防火散水器組立体。
１３．  本体が、第１の平面に対し左右対称であり、第２の平面が、中心軸に沿って第１の平面と交わり、二分割本体を画定し、二分割本体が、楕円形の輪郭を画定する、上記１２に記載の自動防火散水器組立体。
１４．  本体が、近位端部と、遠位端部とを有し、本体が、内面を画定する壁部を有し、壁部が、内部チャンバと連通する開口部を近位端部に画定する、上記１２または１３に記載の自動防火散水器組立体。
１５．  壁部が、輪郭の各端部で曲線部を画定し、曲線部が、近位端部と遠位端部との間に曲率中心を有する、上記１４に記載の自動防火散水器組立体。
１６．  曲線部が、円弧を画定する、上記１５に記載の自動防火散水器組立体。
１７．  本体が、エラストマー材料を含む、上記１１から１６のいずれかに記載の自動防火散水器組立体。
１８．  本体が、金属材料を含む、上記１１から１７のいずれかに記載の自動防火散水器組立体。
１９．  封止組立体が、上面と、下面とを有するボタンをさらに備え、上面が、本体を収容する第１の凹部を含み、下面が、熱反応性起動部と係合する第２の凹部を含む、上記１１から１８のいずれかに記載の自動防火散水器組立体。
２０．  熱反応性起動部が、負荷ねじ不要型熱反応性起動部を含む、上記１から１９のいずれかに記載の自動防火散水器組立体。
２１．  熱反応性起動部が、ガラス管球を含む、上記１から２０のいずれかに記載の自動防火散水器組立体。
２２．  入口と、出口と、出口を取り囲む封止面とを含む散水器の枠体を有する自動防火散水器を封止する方法であって、
封止面を、封止面に隣接する封止組立体と係合するステップと、
封止組立体の内部チャンバを加圧するステップとを含む方法。
２２．  封止組立体を、封止面と熱反応性起動部との間に装填するステップと、封止面と熱反応性起動部との間にスナップ嵌合を形成するステップとをさらに含む、上記２２に記載の方法。
２３．  スナップ嵌合を形成するステップが、封止組立体の高さよりも小さい、封止面と熱反応性起動部との間の軸方向距離を規定するステップを含む、上記２３に記載の方法。
２４．  内部チャンバを加圧するステップが、封止組立体の内部輪郭を画定し、輪郭が、実質的に楕円形である、上記２２に記載の方法。
２５．  内部チャンバを加圧するステップが、散水器の枠体の封止面に対して垂直な封止力を規定する、上記２２に記載の方法。
２６．  ボタンの上面に沿って形成された第１の凹部内に本体を収容するステップと、ボタンの底面に沿って形成された第２の凹部内に熱反応性起動部を着座させるステップとをさらに含む、上記２２に記載の方法。